(57)【特許請求の範囲】
【請求項１】
協調方式により通信する無線通信システムにおいて復調参照信号を配置する方法であって、前記無線通信システムの時間周波数リソースにおいて、リソースブロックを基本単位として受信端末に復調参照信号およびデータが伝送され、前記方法は：
それぞれのセルのリソースブロックについて、データ領域において時間領域の一方の片側および時間領域の他方の片側にそれぞれ位置する２つのエッジ直交周波数分割多重シンボル中に少なくとも２つの直交復調参照信号をそれぞれ配置し、前記直交復調参照信号の前記エッジ直交周波数分割多重シンボルにおける位置では各セル間で周波数オフセットが存在しており、前記それぞれのセルの前記エッジ直交周波数分割多重シンボルにおいて、他のセルの前記直交復調参照信号に対応する位置においてパンクチャリングを行うステップと、
いずれかのセルのリソースブロックにおける前記２つのエッジ直交周波数分割多重シンボル中に重畳復調参照信号を配置するとともに、他のセルのリソースブロックにおける対応位置に前記重畳復調参照信号を配置するステップと、
を含み、
前記エッジ直交周波数分割多重シンボルのそれぞれにおいて、前記重畳復調参照信号の位置は、前記直交復調参照信号の位置の間に設定されている、方法。
【請求項２】
前記それぞれのセルのリソースブロックについて、前記データ領域の２つのエッジ直交周波数分割多重シンボル中に少なくとも２つの直交復調参照信号をそれぞれ配置するステップは、前記それぞれのセルのリソースブロックについて、それぞれの前記エッジ直交周波数分割多重シンボル中に２つの直交復調参照信号を配置し、かつ、前記２つの直交復調参照信号のうちの一方は当該エッジ直交周波数分割多重シンボル中の高域端に配置し、他方は当該エッジ直交周波数分割多重シンボル中の低域端に配置することを含む、
請求項１に記載の方法。
【請求項３】
前記それぞれのセルのリソースブロックについて、前記２つのエッジ直交周波数分割多重シンボルにそれぞれ隣接する２つの使用可能サブエッジ直交周波数分割多重シンボル中に２つの直交復調参照信号をそれぞれ配置し、前記直交復調参照信号の前記使用可能サブエッジ直交周波数分割多重シンボルにおける位置では各セル間で周波数オフセットが存在しており、かつ、前記使用可能サブエッジ直交周波数分割多重シンボルにおいて他のセルの使用可能サブエッジ直交周波数分割多重シンボル中の直交復調参照信号に対応する位置においてパンクチャリングを行うステップと、
いずれかのセルのリソースブロックにおける前記２つの使用可能サブエッジ直交周波数分割多重シンボル中に前記重畳復調参照信号を配置するとともに、他のセルのリソースブロックにおける対応位置に前記重畳復調参照信号を配置するステップと、をさらに含み、
前記使用可能サブエッジ直交周波数分割多重シンボルのそれぞれにおいて、前記重畳復調参照信号の位置は直交復調参照信号の位置の間に設定されている、
請求項２に記載の方法。
【請求項４】
それぞれの前記リソースブロックでは、いずれも１つの階層のデータが伝送される、
請求項３に記載の方法。
【請求項５】
少なくとも１つのセルの前記リソースブロックでは２つの階層のデータが伝送され、
前記時間領域の一方の片側に位置する前記エッジ直交周波数分割多重シンボル中の前記直交復調参照信号および前記重畳復調参照信号と、前記時間領域の他方の片側に位置する前記エッジ直交周波数分割多重シンボルに隣接する前記使用可能サブエッジ直交周波数分割多重シンボル中の前記直交復調参照信号および前記重畳復調参照信号とは、第１の階層のデータに用いられる復調参照信号であり、
前記時間領域の前記他方の片側に位置する前記エッジ直交周波数分割多重シンボル中の前記直交復調参照信号および前記重畳復調参照信号と、前記時間領域の前記一方の片側に位置する前記エッジ直交周波数分割多重シンボルに隣接する前記使用可能サブエッジ直交周波数分割多重シンボル中の前記直交復調参照信号および前記重畳復調参照信号とは、第２の階層のデータに用いられる復調参照信号である、
請求項３に記載の方法。
【請求項６】
少なくとも１つのセルの前記リソースブロックでは、２つの階層のデータが伝送され、かつ、第１の階層のデータおよび第２の階層のデータについて、前記直交復調参照信号および重畳復調参照信号がそれぞれ配置される、
請求項３に記載の方法。
【請求項７】
前記第１の階層のデータに用いられる前記直交復調参照信号および前記重畳復調参照信号と、前記第２の階層のデータに用いられる前記直交復調参照信号および前記重畳復調参照信号とは、リソースブロックにおける同一の位置に重畳されており、
前記直交復調参照信号および前記重畳復調参照信号では、符号分割多重の方式を用いて、前記第１の階層のデータと前記第２の階層のデータとの間で直交性が保たれている、
請求項６に記載の方法。
【請求項８】
それぞれのリソースブロック中に配置された前記直交復調参照信号および前記重畳復調参照信号は１２個であり、それぞれの前記エッジ直交周波数分割多重シンボル中に配置された前記直交復調参照信号および前記重畳復調参照信号は５個であって、
前記方法はさらに、
それぞれのセルのリソースブロックについて、前記２つのエッジ直交周波数分割多重シンボルにそれぞれ隣接する２つの使用可能サブエッジ直交周波数分割多重シンボル中に、１つの前記直交復調参照信号または１つの前記重畳復調参照信号をそれぞれ配置するステップを含み、
前記１つの直交復調参照信号はセル間で直交性を保っており、前記１つの重畳復調参照信号は各セルのリソースブロックにおいて同一の位置に位置している、
請求項１に記載の方法。
【請求項９】
それぞれのリソースブロックに配置される前記重畳復調参照信号は、いずれも４個、５個、６個、７個または８個である、
請求項８に記載の方法。
【請求項１０】
協調方式により通信する無線通信システムにおいて復調参照信号を配置する方法であって、前記無線通信システムの時間周波数リソースにおいて、リソースブロックを基本単位として受信端末に復調参照信号およびデータが伝送され、前記方法は：
それぞれのセルのリソースブロックについて、データ領域の一方のエッジ直交周波数分割多重シンボルにおける高域端に第１の直交復調参照信号を配置し、他方のエッジ直交周波数分割多重シンボルの低域端に第２の直交復調参照信号を配置し、前記第１の直交復調参照信号および前記第２の直交復調参照信号の前記エッジ直交周波数分割多重シンボルにおける位置では各セル間で周波数オフセットが存在しており、前記エッジ直交周波数分割多重シンボルにおいて、他のセルの前記第１の直交復調参照信号および前記第２の直交復調参照信号に対応する位置においてパンクチャリングを行うステップと、
それぞれのセルのリソースブロックについて、前記一方のエッジ直交周波数分割多重シンボルにおける低域端に第３の直交復調参照信号を配置し、前記他方のエッジ直交周波数分割多重シンボルの高域端に第４の直交復調参照信号を配置し、前記第３の直交復調参照信号および前記第４の直交復調参照信号の前記エッジ直交周波数分割多重シンボルにおける位置では各セル間で周波数オフセットが存在しており、前記エッジ直交周波数分割多重シンボルにおいて、他のセルの前記第３の直交復調参照信号および前記第４の直交復調参照信号に対応する位置においてパンクチャリングを行うステップと、
いずれかのセルのリソースブロックにおける前記一方のエッジ直交周波数分割多重シンボルおよび前記他方のエッジ直交周波数分割多重シンボル中に重畳復調参照信号を配置するとともに、他のセルのリソースブロックにおける対応位置に前記重畳復調参照信号を配置するステップとを含む、方法。
【請求項１１】
それぞれの前記リソースブロックでは、いずれも１つの階層のデータが伝送される、
請求項１０に記載の方法。
【請求項１２】
少なくとも１つのセルの前記リソースブロックでは、２つの階層のデータが伝送され、
前記第１の直交復調参照信号および前記第２の直交復調参照信号は、第１の階層のデータに用いられる復調参照信号であり、
前記第３の直交復調参照信号および前記第４の直交復調参照信号は、第２の階層のデータに用いられる復調参照信号である、
請求項１０に記載の方法。
【請求項１３】
協調方式により通信する無線通信システムにおいて復調参照信号を配置する装置であって、前記無線通信システムの時間周波数リソースにおいて、リソースブロックを基本単位として受信端末に復調参照信号およびデータが伝送され、前記装置は：
それぞれのセルのリソースブロックについて、データ領域の２つのエッジ直交周波数分割多重シンボル中に少なくとも２つの直交復調参照信号をそれぞれ配置し、前記直交復調参照信号の前記エッジ直交周波数分割多重シンボルにおける位置では各セル間で周波数オフセットが存在しており、前記エッジ直交周波数分割多重シンボルにおいて、他のセルの前記直交復調参照信号に対応する位置においてパンクチャリングを行う直交復調参照信号配置手段と、
前記直交復調参照信号が配置されているいずれかのセルのリソースブロックにおける前記２つのエッジ直交周波数分割多重シンボル中に重畳復調参照信号を配置するとともに、他のセルのリソースブロックにおける対応位置に前記重畳復調参照信号を配置する重畳復調参照信号配置手段と、
を含み、
前記エッジ直交周波数分割多重シンボルのそれぞれにおいて、前記重畳復調参照信号の位置は、前記直交復調参照信号の位置の間に設定されている、装置。
【請求項１４】
協調方式により通信する無線通信システムにおいて復調参照信号を配置する装置であって、前記無線通信システムの時間周波数リソースにおいて、リソースブロックを基本単位として受信端末に復調参照信号およびデータが伝送され、前記装置は：
それぞれのセルのリソースブロックについて、データ領域の一方のエッジ直交周波数分割多重シンボルにおける高域端に第１の直交復調参照信号を配置し、他方のエッジ直交周波数分割多重シンボルの低域端に第２の直交復調参照信号を配置し、前記第１の直交復調参照信号および前記第２の直交復調参照信号の前記エッジ直交周波数分割多重シンボルにおける位置では各セル間で周波数オフセットが存在しており、前記エッジ直交周波数分割多重シンボルにおいて、他のセルの前記第１の直交復調参照信号および前記第２の直交復調参照信号に対応する位置においてパンクチャリングを行う第１の直交復調参照信号配置手段と、
前記第１の直交復調参照信号および前記第２の直交復調参照信号が配置されているそれぞれのセルのリソースブロックについて、前記一方のエッジ直交周波数分割多重シンボルにおける低域端に第３の直交復調参照信号を配置し、前記他方のエッジ直交周波数分割多重シンボルの高域端に第４の直交復調参照信号を配置し、前記第３の直交復調参照信号および前記第４の直交復調参照信号の前記エッジ直交周波数分割多重シンボルにおける位置では各セル間で周波数オフセットが存在しており、前記エッジ直交周波数分割多重シンボルにおいて、他のセルの前記第３の直交復調参照信号および前記第４の直交復調参照信号に対応する位置においてパンクチャリングを行う第２の直交復調参照信号配置手段と、
前記直交復調参照信号が配置されているいずれかのセルのリソースブロックにおける前記一方のエッジ直交周波数分割多重シンボルおよび前記他方のエッジ直交周波数分割多重シンボル中に重畳復調参照信号を配置するとともに、他のセルのリソースブロックにおける対応位置に前記重畳復調参照信号を配置する重畳復調参照信号配置手段と、を含む、装置。
【発明の詳細な説明】
【技術分野】
【０００１】
本発明は通信分野に関し、より具体的には、無線通信システムにおける復調参照信号の配置に関する。
【背景技術】
【０００２】
ＯＦＤＭ（直交周波数分割多重）に基づくマルチアンテナの近年の無線通信システム、例えば設計中のＬＴＥ−Ａ（Long Term Evolution-Advanced）において、非コヒーレント下りジョイント伝送（non-coherent joint transmission）および協調ビームフォーミング（coordinated beamforming）を含むいくつかの下り複数基地局協調技術では、協調セルの間で互いに直交する復調参照信号（demodulation reference signal,ＤＭ−ＲＳ）を必要とする。図１は非コヒーレント下りジョイント伝送および協調ビームフォーミングの例示的なシステムの枠組みを示している。図１に示すように、非コヒーレント下りジョイント伝送では、異なるデータストリームがセル１及びセル２の基地局から端末（ＵＥ）に協調して送信される。端末（ＵＥ）は、同一の時間および周波数リソース上で、異なるセルの基地局から異なるデータストリームを受信する。これらのデータストリームは、時間および周波数上で重畳されているが、異なる基地局からであるため、経てきたチャネルが異なる、または異なる空間特性を有すると言える。端末は、データストリームの空間上での異なる特性を用いてそれらを区分する必要がある。そして、データストリームの空間特性に対する端末の測定は、所定の時間および空間リソース上に予め挿入された参照信号によって実現される。もし、異なるデータストリームの参照信号が時間および周波数上でも互いに重畳されていれば、端末はこれらの参照信号に基づいてデータストリームの空間特性を測定することはできない。従って、端末（ＵＥ）はそれぞれセル１およびセル２からの異なるデータストリームの検出に用いるために、セル間で直交する参照信号を必要とする。協調ビームフォーミングにおいては、セル１およびセル２の基地局は、プリコーディングによって、特定のビームをそれぞれの端末ＵＥ＿ＡおよびＵＥ＿Ｂに向けている。しかしながら、端末ＵＥ＿ＡおよびＵＥ＿Ｂは、隣接セルの基地局からの干渉も受ける。従って、端末ＵＥ＿ＡおよびＵＥ＿Ｂは、セルに対するチャネル推定の精度を向上させるために、セル間で直交する参照信号を必要とする。
【０００３】
議論中のＬＴＥ−Ａシステムにおいて、各セルの基地局は、時間周波数リソースが互いに同一であるリソースブロック（resource block,ＲＢ）をそれぞれ用いて、異なるデータを端末に伝送する。図２にＬＴＥ−Ａシステムにおける１つのリソースブロックを示す。リソースブロックはリソースエレメント（resource element,ＲＥ）からなる。図２の横軸方向は時間を、縦軸方向は周波数を表し、縦軸方向の１列は１つのＯＦＤＭシンボルであり、かつ、リソースブロックにおけるいくつかのリソースエレメント中にはＤＭ−ＲＳが予め配置されている。端末はリソースブロック中のＤＭ−ＲＳを用いて補間を行ってリソースブロック中の他のＲＥ上のチャネル状況を推定し、さらに復調を行う。ＬＴＥ−Ａにおいて、リソースブロック中のＤＭ−ＲＳおよびデータは特定の端末に対してプリコーディング（precoding）されている。換言すれば、異なる端末に対して用いられるプリコーディングは同様ではない可能性がある。同一の端末についても、異なるリソースブロック上のチャネル状況は異なるため、対応するプリコーディングも一致しない可能性がある。端末は同一のプリコーディング方式を用いたリソースブロックを用いてチャネル推定を行うことしかできないため、実際には１つのリソースブロック内部のＤＭ−ＲＳを用いて当該リソースブロックが占有するチャネルの状況を推定することしかできない。すなわち、１つのリソースブロック以外のＤＭ−ＲＳを用いて当該リソースブロック内部のチャネル状況を推定することはできない。この場合、補間アルゴリズムをより効果的に用いるためには、ＤＭ−ＲＳをできる限りリソースブロックのエッジ寄りのＯＦＤＭシンボル（symbol）上に配置して、補間の精度を向上させる必要がある。図２はこのポリシーでＤＭ−ＲＳを配置する状況を例示している。図２に示すように、リソースブロックの前３列は確保された制御領域であって、ＤＭ−ＲＳの配置に用いることはできない。このため、当該リソースブロックのデータ領域（すなわち、制御領域以外の部分）の２つのエッジＯＦＤＭシンボル上にＤＭ−ＲＳが配置される。
【０００４】
上記の状況に鑑みて、リソースブロック中にＤＭ−ＲＳを配置する際、ＤＭ−ＲＳをできる限りリソースブロックのエッジに配置されると同時に、ＤＭ−ＲＳのセル間での直交性が保たれることが望まれる。これについて、容易に想到される一つの配置方式を図３に示す。図３に示すように、各セルのリソースブロック中のＤＭ−ＲＳの密度は１２個／リソースブロックである。セル１およびセル２のリソースブロックについて、そのデータブロックの２つのエッジＯＦＤＭシンボル中に、それぞれ６個のＤＭ−ＲＳが配置されている。セル１およびセル２のＤＭ−ＲＳを直交させるために、セル２のＤＭ−ＲＳではセル１のＤＭ−ＲＳに対して周波数上でオフセットが存在しており、かつ、セル１のリソースブロック中でセル２のＤＭ−ＲＳに対応する位置においてデータパンクチャリングが行われており、逆も同様である。
【発明の概要】
【発明が解決しようとする課題】
【０００５】
しかしながら、３つの隣接セルが存在する際には、図３に示すような配置方式を用いると問題が出現する。具体的には、３つの隣接セル１〜３が存在する際には、図３に示すような配置方式に従って、それぞれのセルのリソースブロックについて、まず、それぞれのエッジＯＦＤＭシンボルにおいて６つのリソースエレメントを占有してＤＭ−ＲＳが配置される必要がある。その後、当該エッジＯＦＤＭシンボルにおいて、他の２つのセルのＤＭ−ＲＳに対応する位置においてパンクチャリングが行われる必要がある。すなわち、１２個のリソースエレメントを占有してデータパンクチャリングが行われる必要がある。しかしながら、それぞれのエッジＯＦＤＭシンボル中には１２個のリソースエレメントが含まれているに過ぎないため、上記の配置が実現できないことは明らかである。換言すれば、３つのセルのＤＭ−ＲＳをすべてリソースブロックのデータ領域のエッジに配置すると同時にセル間の直交も実現することはできない。
【０００６】
３つのセルのＤＭ−ＲＳの直交を実現させられるような、一種の配置方式を図４に示す。図４に示すように、それぞれのセルのリソースブロックにおいて、２つのエッジＯＦＤＭシンボルを含む３つのＯＦＤＭシンボル上に４つのＤＭ−ＲＳがそれぞれ配置されるとともに、当該ＯＦＤＭシンボルにおいて、他の２つのセルのＤＭ−ＲＳに対応する位置でパンクチャリングが行われることにより、セル間の直交を実現する。このような方式は、３つのセルのＤＭ−ＲＳの直交を実現できるものの、それぞれのリソースブロックにおいて、３６個のリソースエレメントを占有してＤＭ−ＲＳの配置またはパンクチャリングを行う必要があり（すなわち、この３６個のリソースエレメントはデータの伝送に用いることはできない）、そのためシステムオーバーヘッドが過大になる。
【０００７】
従って、いかにして３つのセルのＤＭ−ＲＳのすべてをできる限りリソースブロックのエッジ寄りに配置すると同時に、セル間の直交を実現し、比較的小さなシステムオーバーヘッドを保つかということが、本分野の課題となる。
【課題を解決するための手段】
【０００８】
本願の１つの態様によれば、協調方式により通信する無線通信システムにおいて復調参照信号を配置する方法を提供し、前記無線通信システムの時間周波数リソースにおいて、リソースブロックを基本単位として受信端末に復調参照信号およびデータが伝送され、前記方法は：それぞれのセルのリソースブロックについて、データ領域において時間領域の一方の片側および時間領域の他方の片側にそれぞれ位置する２つのエッジ直交周波数分割多重シンボル中に少なくとも２つの直交復調参照信号をそれぞれ配置し、前記直交復調参照信号の前記エッジ直交周波数分割多重シンボルにおける位置では各セル間で周波数オフセットが存在しており、前記それぞれのセルの前記エッジ直交周波数分割多重シンボルにおいて、他のセルの前記直交復調参照信号に対応する位置においてパンクチャリングを行うステップと、いずれかのセルのリソースブロックにおける前記２つのエッジ直交周波数分割多重シンボル中に重畳復調参照信号を配置するとともに、他のセルのリソースブロックにおける対応位置に前記重畳復調参照信号を配置するステップと、を含み、前記エッジ直交周波数分割多重シンボルのそれぞれにおいて、前記重畳復調参照信号の位置は、前記直交復調参照信号の位置の間に設定されている。
【０００９】
本願のもう１つの態様によれば、協調方式により通信する無線通信システムにおいて復調参照信号を配置する方法を提供し、前記無線通信システムの時間周波数リソースにおいて、リソースブロックを基本単位として受信端末に復調参照信号およびデータが伝送され、前記方法は：それぞれのセルのリソースブロックについて、データ領域の一方のエッジ直交周波数分割多重シンボルにおける高域端に第１の直交復調参照信号を配置し、他方のエッジ直交周波数分割多重シンボルの低域端に第２の直交復調参照信号を配置し、前記第１の直交復調参照信号および前記第２の直交復調参照信号の前記エッジ直交周波数分割多重シンボルにおける位置では各セル間で周波数オフセットが存在しており、前記エッジ直交周波数分割多重シンボルにおいて、他のセルの前記第１の直交復調参照信号および前記第２の直交復調参照信号に対応する位置においてパンクチャリングを行うステップと、それぞれのセルのリソースブロックについて、前記一方のエッジ直交周波数分割多重シンボルにおける低域端に第３の直交復調参照信号を配置し、前記他方のエッジ直交周波数分割多重シンボルの高域端に第４の直交復調参照信号を配置し、前記第３の直交復調参照信号および前記第４の直交復調参照信号の前記エッジ直交周波数分割多重シンボルにおける位置では各セル間で周波数オフセットが存在しており、前記エッジ直交周波数分割多重シンボルにおいて、他のセルの前記第３の直交復調参照信号および前記第４の直交復調参照信号に対応する位置においてパンクチャリングを行うステップと、いずれかのセルのリソースブロックにおける前記一方のエッジ直交周波数分割多重シンボルおよび前記他方のエッジ直交周波数分割多重シンボル中に重畳復調参照信号を配置するとともに、他のセルのリソースブロックにおける対応位置に前記重畳復調参照信号を配置するステップとを含む。
【００１０】
本願のまた１つの態様によれば、協調方式により通信する無線通信システムにおいて復調参照信号を配置する装置を提供し、前記無線通信システムの時間周波数リソースにおいて、リソースブロックを基本単位として受信端末に復調参照信号およびデータが伝送され、前記装置は：それぞれのセルのリソースブロックについて、データ領域の２つのエッジ直交周波数分割多重シンボル中に少なくとも２つの直交復調参照信号をそれぞれ配置し、前記直交復調参照信号の前記エッジ直交周波数分割多重シンボルにおける位置では各セル間で周波数オフセットが存在しており、前記エッジ直交周波数分割多重シンボルにおいて、他のセルの前記直交復調参照信号に対応する位置においてパンクチャリングを行う直交復調参照信号配置手段と、前記直交復調参照信号が配置されているいずれかのセルのリソースブロックにおける前記２つのエッジ直交周波数分割多重シンボル中に重畳復調参照信号を配置するとともに、他のセルのリソースブロックにおける対応位置に前記重畳復調参照信号を配置する重畳復調参照信号配置手段と、を含み、前記エッジ直交周波数分割多重シンボルのそれぞれにおいて、前記重畳復調参照信号の位置は、前記直交復調参照信号の位置の間に設定されている。
【００１１】
本願のさらに１つの態様によれば、協調方式により通信する無線通信システムにおいて復調参照信号を配置する装置を提供し、前記無線通信システムの時間周波数リソースにおいて、リソースブロックを基本単位として受信端末に復調参照信号およびデータが伝送され、前記装置は：それぞれのセルのリソースブロックについて、データ領域の一方のエッジ直交周波数分割多重シンボルにおける高域端に第１の直交復調参照信号を配置し、他方のエッジ直交周波数分割多重シンボルの低域端に第２の直交復調参照信号を配置し、前記第１の直交復調参照信号および前記第２の直交復調参照信号の前記エッジ直交周波数分割多重シンボルにおける位置では各セル間で周波数オフセットが存在しており、前記エッジ直交周波数分割多重シンボルにおいて、他のセルの前記第１の直交復調参照信号および前記第２の直交復調参照信号に対応する位置においてパンクチャリングを行う第１の直交復調参照信号配置手段と、前記第１の直交復調参照信号および前記第２の直交復調参照信号が配置されているそれぞれのセルのリソースブロックについて、前記一方のエッジ直交周波数分割多重シンボルにおける低域端に第３の直交復調参照信号を配置し、前記他方のエッジ直交周波数分割多重シンボルの高域端に第４の直交復調参照信号を配置し、前記第３の直交復調参照信号および前記第４の直交復調参照信号の前記エッジ直交周波数分割多重シンボルにおける位置では各セル間で周波数オフセットが存在しており、前記エッジ直交周波数分割多重シンボルにおいて、他のセルの前記第３の直交復調参照信号および前記第４の直交復調参照信号に対応する位置においてパンクチャリングを行う第２の直交復調参照信号配置手段と、前記直交復調参照信号が配置されているいずれかのセルのリソースブロックにおける前記一方のエッジ直交周波数分割多重シンボルおよび前記他方のエッジ直交周波数分割多重シンボル中に重畳復調参照信号を配置するとともに、他のセルのリソースブロックにおける対応位置に前記重畳復調参照信号を配置する重畳復調参照信号配置手段と、を含む。
【発明の効果】
【００１２】
本発明が提供する参照信号を配置する方法および装置を用いることにより、３つのセルがある場合に、各セルのＤＭ−ＲＳのすべてをできる限りリソースブロックのエッジ寄りに配置し、同時にＤＭ−ＲＳの各セル間での直交を実現し、かつ、比較的小さなシステムオーバーヘッドを保つことができる。
【図面の簡単な説明】
【００１３】
図面と本発明の実施例を組み合わせた以下の詳細な記述から、本発明のこれらの態様、および／またはその他の態様および優位性がより明確になり、より理解しやすくなる。ここで：
【図１】非コヒーレント下りジョイント伝送および協調ビームフォーミングの例示的なシステムの枠組みを示す図
【図２】ＤＭ−ＲＳをリソースブロックのエッジに配置する概略図
【図３】２つの隣接セルの状況においてリソースブロック中にＤＭ−ＲＳを配置する概略図
【図４】３つの隣接セルの状況においてリソースブロック中にＤＭ−ＲＳを配置する概略図
【図５】本発明の実施例１のＤＭ−ＲＳ配置方法により３つの隣接セルのリソースブロック中にＤＭ−ＲＳを配置する状況
【図６】本発明の実施例１によるＤＭ−ＲＳ配置方法のフロー図
【図７】本発明の実施例２のＤＭ−ＲＳ配置方法により３つの隣接セルのリソースブロック中にＤＭ−ＲＳを配置する状況
【図８】本発明の実施例２によるＤＭ−ＲＳ配置方法のフロー図
【図９】時間分割多重方式を用いてリソースブロックの２階層のデータ間の直交性を実現する場合に、３つの隣接セルのリソースブロック中にＤＭ−ＲＳを配置する状況
【図１０】符号分割多重方式を用いてリソースブロックの２階層のデータ間の直交性を実現する場合に、３つの隣接セルのリソースブロック中にＤＭ−ＲＳを配置する状況
【図１１】本発明の実施例４のＤＭ−ＲＳ配置方法により３つの隣接セルのリソースブロック中にＤＭ−ＲＳを配置する状況
【図１２】本発明の実施例４によるＤＭ−ＲＳ配置方法のフロー図
【図１３】リソースブロック中の重畳ＤＭ−ＲＳが４個〜８個である際に、本発明の実施例５のＤＭ−ＲＳ配置方法により３つの隣接セルのリソースブロック中にＤＭ−ＲＳを配置する状況を示す図
【図１４】本発明の実施例１の復調参照信号配置方法を無線通信システム中に応用した復調参照信号を配置する装置の構成ブロック図
【図１５】本発明の実施例４の復調参照信号配置方法を無線通信システム中に応用した復調参照信号を配置する装置の構成ブロック図
【発明を実施するための形態】
【００１４】
以下、本発明の具体的な実施例について、図面を組み合わせて詳細に記述する。いくつかの関連する従来技術については、詳細な記述を考慮すると本発明の要点が曖昧になるおそれがあるため、ここでは詳細な記述は示さない。各実施例において、同一の機能を実行する素子または手段は、同一の符号を用いて示す。
【００１５】
（実施例１）
図５は、本発明の実施例１のＤＭ−ＲＳ配置方法により３つの隣接セルのリソースブロック中にＤＭ−ＲＳが配置される状況を示す。図５に示すように、当該実施例において、それぞれのセルのＤＭ−ＲＳは、直交部分（図中の実線の枠内の部分）および重畳部分（図中の破線の枠内の部分）の２つの部分からなる。直交部分のＤＭ−ＲＳは、セル間の周波数オフセットおよび対応位置のパンクチャリングによりＤＭ−ＲＳのセル間での直交を実現する（以下、直交部分のＤＭ−ＲＳを直交ＤＭ−ＲＳと略称する）。重畳部分のＤＭ−ＲＳは、セル間の周波数オフセットには関与せず、各セルのリソースブロックにおいて同一の位置に配置される（以下、重畳部分のＤＭ−ＲＳを重畳ＤＭ−ＲＳと略称する）。
【００１６】
図５からは、各セルのリソースブロックにおいて、データ領域の２つのエッジＯＦＤＭシンボル中に２つの直交ＤＭ−ＲＳがそれぞれ配置されている。また、エッジＯＦＤＭシンボルにおいて直交ＤＭ−ＲＳが配置される位置では、各セル間で周波数オフセットが存在することが見て取れる。なお、セル１のリソースブロック中でセル２および３の直交ＤＭ−ＲＳに対応する位置においてデータ伝送がパンクチャリングされ、かつ、セル２および３のリソースブロック中でも相応のパンクチャリングが行われている。また、チャネル推定の精度を考慮して、直交ＤＭ−ＲＳは、いずれもリソースブロックのデータ領域においてできる限り四隅寄りの位置に配置される。換言すれば、直交ＤＭ−ＲＳが各セル間で直交することを保証するという前提の下で、各直交ＤＭ−ＲＳは、エッジＯＦＤＭシンボルにおいてできる限り高域およびできる限り低域の位置に配置される。一方で、セル１〜３のそれぞれのエッジＯＦＤＭシンボル中にはいずれも４つの重畳ＤＭ−ＲＳが配置されており、かつ、重畳ＤＭ−ＲＳは、各セルのリソースブロックにおいて同一の位置にあり、これにより各セル間で互いに重畳されることが見て取れる。
【００１７】
図３および図４に示す配置方法と異なり、本実施例においては、ＤＭ−ＲＳ信号は直交ＤＭ−ＲＳと重畳ＤＭ−ＲＳとに分けられている。重畳ＤＭ−ＲＳについてはデータパンクチャリングを行う必要がないため、ＤＭ−ＲＳの配置に要するリソースエレメントの占有が低減される。これによりＤＭ−ＲＳのすべてをエッジＯＦＤＭシンボル中に配置することが可能となり、ＤＭ−ＲＳのエッジＯＦＤＭシンボル上での配置自由度を増加させている。同時に、直交ＤＭ−ＲＳによって３つのセルの間の直交性が保証されている。
【００１８】
図６は、本発明の実施例１によるＤＭ−ＲＳ配置方法のフロー図である。ステップＳ６１では、それぞれのセルのリソースブロックについて、そのデータ領域の２つのエッジＯＦＤＭシンボルにおいて２つの直交ＤＭ−ＲＳがそれぞれ配置され、上記２つの直交ＤＭ−ＲＳのうちの一方はエッジＯＦＤＭシンボル中のできる限り高域の位置に配置され、他方はできる限り低域の位置に配置される。また、ここで直交ＤＭ−ＲＳのエッジＯＦＤＭシンボルにおける位置では、各セル間で周波数オフセットが存在している。ステップＳ６２では、それぞれのセルのリソースブロックのエッジＯＦＤＭシンボルにおいて、他のセルの直交ＤＭ−ＲＳに対応する位置でパンクチャリングが行われる。ステップＳ６３では、任意の１つのセルのリソースブロックにおける２つのエッジＯＦＤＭシンボル中に重畳ＤＭ−ＲＳが配置されるとともに、他のセルのリソースブロックにおける対応位置に重畳ＤＭ−ＲＳが配置される。
【００１９】
説明が必要なのは、本実施例においては、直交ＤＭ−ＲＳがエッジＯＦＤＭシンボルにおいてできる限り高域、およびできる限り低域の位置に配置されているが、これは必須ではないということである。実際には、それぞれのＯＦＤＭシンボルにおいて、重畳ＤＭ−ＲＳを置く位置が直交ＤＭ−ＲＳを置く位置の間に挟まれていることを保証しさえすれば、本発明を実現することが可能である。
【００２０】
言及に値するのは、本実施例の方法に従ってＤＭ−ＲＳが配置されたリソースブロックを用いて受信端末にデータを伝送すると、受信端末は、その中から各セルのＤＭ−ＲＳを取得して、さらに、各セルのチャネル状態を推定することが可能であるということである。具体的には、各セルの直交ＤＭ−ＲＳについてはセル間で直交性が保たれているので、受信端末は、各セルの直交ＤＭ−ＲＳをリソースブロック中から直接取得することが可能である。重畳ＤＭ−ＲＳについては、受信端末側では各セルの重畳ＤＭ−ＲＳがリソースブロック中の同一位置において重畳されているものの、当業者はいずれかの公知の適切な方法を用いて重畳ＤＭ−ＲＳを分離することが可能である。例えば、一種の好ましい方式は、ＭＭＳＥ（最小平均二乗誤差）に基づく方法によって重畳ＤＭ−ＲＳを分離することである。当該ＭＭＳＥに基づく方法は、おおよそ以下のステップに概括することが可能である：１．セル２および３について、各自の直交ＤＭ−ＲＳを観察量としてそれぞれ用いて、ＭＭＳＥによりセル２および３の重畳ＤＭ−ＲＳを推定する；２．３つのセルの重畳ＤＭ−ＲＳの総重畳信号からステップ１において得られたセル２および３の重畳ＤＭ−ＲＳを除去することにより、セル１の重畳ＤＭ−ＲＳを推定する；３．セル１の直交ＤＭ−ＲＳおよびステップ２において推定された重畳ＤＭ−ＲＳを観察量として用いて、ＭＭＳＥによりセル１の当該重畳ＤＭ−ＲＳをリファインメントする；４．３つのセルの重畳ＤＭ−ＲＳの総重畳信号からセル３の重畳ＤＭ−ＲＳおよびリファインメント後のセル１の重畳ＤＭ−ＲＳを除去することにより、セル２の重畳ＤＭ−ＲＳを推定する；５．セル２の直交ＤＭ−ＲＳおよびステップ４において推定されたセル２の重畳ＤＭ−ＲＳを観察量として用いて、ＭＭＳＥによりセル２の当該重畳ＤＭ−ＲＳをリファインメントする；６．３つのセルの重畳ＤＭ−ＲＳの総重畳信号からリファインメント後のセル１およびセル２の重畳ＤＭ−ＲＳを除去することにより、セル３の重畳ＤＭ−ＲＳ信号を推定する；７．セル３の直交ＤＭ−ＲＳおよびステップ６において推定されたセル３の重畳ＤＭ−ＲＳを観察量として用いて、ＭＭＳＥによりセル３の重畳ＤＭ−ＲＳをリファインメントする。これにより、比較的正確な各セルの重畳ＤＭ−ＲＳを得ることが可能となる。本方法においては、ＭＭＳＥによって各セルの重畳ＤＭ−ＲＳを推定しているが、これは１つの例示に過ぎない。例えばＭＬＥ（最大尤度検出）等、他の任意の線形検出方法がいずれもＭＭＳＥの替わりに信号を推定することが可能であることは、容易に想到される。
【００２１】
（実施例２）
実施例２は実施例１の変形である。実施例２でも、ＤＭ−ＲＳは直交ＤＭ−ＲＳと重畳ＤＭ−ＲＳとに分けられるが、これらのＤＭ−ＲＳはリソースブロックのデータ領域の２つのエッジＯＦＤＭシンボル中に全て配置されるわけではなく、リソースブロックのエッジ寄りの４つのＯＦＤＭシンボル中に配置される。
【００２２】
図７は、本発明の実施例２のＤＭ−ＲＳ配置方法により３つの隣接セルのリソースブロック中にＤＭ−ＲＳが配置される状況を示す。図７に示すように、図５と同様、各セルのリソースブロックにおいて、データ領域の２つのエッジＯＦＤＭシンボル中に直交ＤＭ−ＲＳおよび重畳ＤＭ−ＲＳが配置されている。この他に、この２つのエッジＯＦＤＭシンボルにそれぞれ隣接する使用可能サブエッジＯＦＤＭシンボル中に直交ＤＭ−ＲＳおよび重畳ＤＭ−ＲＳが配置されている（リソースブロックにおける第５列は留保領域であって、ＤＭ−ＲＳの配置には用いられないため、第６列および最後列が２つの使用可能サブエッジＯＦＤＭシンボルである）。
【００２３】
図８は、本発明の実施例２によるＤＭ−ＲＳ配置方法のフロー図である。図８に示すように、ステップＳ８１〜Ｓ８３は、各セルの２つのエッジＯＦＤＭシンボル中に直交ＤＭ−ＲＳおよび重畳ＤＭ−ＲＳを配置する動作を説明している。ステップＳ８１〜Ｓ８３の動作は図６のステップＳ６１〜Ｓ６３中の動作と同様であるため、ここではあらためて述べない。その後、ステップＳ８４〜Ｓ８６によって各セルのリソースブロックの使用可能サブエッジＯＦＤＭシンボル中にＤＭ−ＲＳが配置される。具体的には、ステップＳ８４では、それぞれのセルのリソースブロックについて、２つのエッジＯＦＤＭシンボルにそれぞれ隣接する２つの使用可能サブエッジＯＦＤＭシンボルにおいて２つの直交ＤＭ−ＲＳがそれぞれ配置され、上記２つの直交ＤＭ−ＲＳのうちの一方は使用可能サブエッジＯＦＤＭシンボル中のできる限り高域の位置に配置され、他方はできる限り低域の位置に配置される。また、ここで直交ＤＭ−ＲＳの使用可能サブエッジＯＦＤＭシンボルにおける位置では、各セル間で周波数オフセットが存在している。ステップＳ８５では、それぞれのセルのリソースブロックの使用可能サブエッジＯＦＤＭシンボルにおいて他のセルの直交ＤＭ−ＲＳに対応する位置でパンクチャリングが行われ、；ステップＳ８６では、任意の１つのセルのリソースブロックにおける２つの使用可能サブエッジＯＦＤＭシンボル中に重畳ＤＭ−ＲＳが配置されるとともに、他のセルのリソースブロックにおける対応位置に重畳ＤＭ−ＲＳが配置される。
【００２４】
実施例１と同様、本実施例では、直交ＤＭ−ＲＳがエッジＯＦＤＭシンボルおよび使用可能サブエッジＯＦＤＭシンボルにおいてできる限り高域およびできる限り低域の位置に配置されているが、これは必須ではない。実際には、それぞれのエッジＯＦＤＭシンボルおよび使用可能サブエッジＯＦＤＭシンボルにおいて、重畳ＤＭ−ＲＳを配置する位置が直交ＤＭ−ＲＳを配置する位置の間に挟まれていることを保証しさえすれば、本発明を実現することが可能である。
【００２５】
（実施例３）
実施例１および２ではいずれも、１つのリソースブロックが１階層のデータのみを伝送する状況に対してＤＭ―ＲＳ信号を配置することを説明した。実際には、１つのリソースブロックを用いて２階層のデータを伝送する可能性がある。本実施例においては、図７に示すような本発明の実施例２のリソースブロックの配置方法を拡張することにより、２階層のデータを伝送するリソースブロックに対してＤＭ−ＲＳを配置する。
【００２６】
１つのリソースブロックを用いて２階層のデータを伝送する状況において、第１層のデータおよび第２層のデータは異なるデータであって、異なるプリコーディング方式を用いる。最終的にデータブロックを用いて伝送するのは、異なる階層のデータを異なるプリコーディング方式を用いて符号化した後に、さらに重畳した結果である。また、それぞれの階層のデータのいずれについても対応するＤＭ−ＲＳがあり、当該階層のデータと同一のプリコーディング方式を用いてプリコーディングが行われている。議論中のＬＴＥ−Ａシステムではすでに、これら２階層のデータに対応するＤＭ−ＲＳが当該リソースブロック用で互いに直交する（互いに重畳しない時間および周波数リソースを用いる）ことが確定している。時間分割多重（ＴＤＭ）、符号分割多重（ＣＤＭ）等の方式を用いてＤＭ−ＲＳの２階層間の直交性を実現することが可能である。受信端末（ＵＥ）はセルの基地局から重畳された２階層のデータを受信した後に、２階層間で直交するＤＭ−ＲＳを用いてチャネル推定を行い、さらに２階層のデータをそれぞれ復調する。
【００２７】
図９は、時間分割多重方式を用いてリソースブロックの２階層のデータ間の直交性を実現する場合に、３つの隣接セルのリソースブロック中にＤＭ−ＲＳを配置する状況を示す。図９と図７とを比較すると、１つのリソースブロック中に２階層のデータを含むＤＭ−ＲＳの配置方式（図９）と１階層のデータを含むＤＭ−ＲＳの配置方式（図７）とは、実質的には同様であることが見て取れる。以下では、説明の便宜のために、図９に示すようなリソースブロックにおいて時間軸の片側（例えば左側）に位置するエッジＯＦＤＭシンボルを第１のエッジＯＦＤＭシンボルと称し、時間軸のもう片側（例えば右側）に位置するエッジＯＦＤＭシンボルを第２のエッジＯＦＤＭシンボルと称するとともに、第１および第２のエッジＯＦＤＭシンボルに隣接する２つの使用可能サブエッジＯＦＤＭシンボルを、それぞれ第１の使用可能サブエッジＯＦＤＭシンボルおよび第２の使用可能サブエッジＯＦＤＭシンボルと称する。図９に示すように、本発明の実施例２で説明したＤＭ−ＲＳの配置方法に従ってリソースブロック中にＤＭ−ＲＳが配置される。ここで、ステップＳ８１〜Ｓ８６によって各セルの第１のエッジＯＦＤＭシンボルおよび第２の使用可能サブエッジＯＦＤＭシンボル中に配置される直交ＤＭ−ＲＳおよび重畳ＤＭ−ＲＳを第１の階層のデータに用いる直交ＤＭ−ＲＳおよび重畳ＤＭ−ＲＳとする。また、各セルの第２のエッジＯＦＤＭシンボルおよび第１の使用可能サブエッジＯＦＤＭシンボル中に配置される直交ＤＭ−ＲＳおよび重畳ＤＭ−ＲＳを第２の階層のデータに用いる直交ＤＭ−ＲＳおよび重畳ＤＭ−ＲＳとする。第１の階層のデータのために配置されたＤＭ−ＲＳと第２の階層のデータのために配置されたＤＭ−ＲＳとは時間リソース上で異なるため、ＤＭ−ＲＳは第１の階層のデータと第２の階層のデータとの間で直交性が保たれている。
【００２８】
図１０は、符号分割多重方式を用いてリソースブロックの２階層のデータのＤＭ−ＲＳ間の直交性を実現する場合、３つの隣接セルのリソースブロック中にＤＭ−ＲＳを配置する状況を示す。同様に、図１０と図７とを比較すると、１つのリソースブロック中に２階層のデータを含むＤＭ−ＲＳの配置方式（図１０）と１階層のデータを含むＤＭ−ＲＳの配置方式（図７）とは、実質的には同様であることが見て取れる。具体的には、図１０に示すように、第１の階層のデータおよび第２の階層のデータについて、それぞれ本発明の実施例２で説明したＤＭ−ＲＳの配置方法に従って直交ＤＭ−ＲＳおよび重畳ＤＭ−ＲＳが配置される。このように、第１の階層のデータに用いる直交ＤＭ−ＲＳおよび重畳ＤＭ−ＲＳと、第２の階層のデータに用いる直交ＤＭ−ＲＳおよび重畳ＤＭ−ＲＳとがリソースブロックにおいて同一位置上に重畳される。この状況において、符号分割多重方式（例えば、長さが２のｗａｌｓｈ符号を用いて第１の階層のデータおよび第２の階層のデータのＤＭ−ＲＳを拡張して）ＤＭ−ＲＳの２階層間での直交性を実現する。
【００２９】
図９および図１０において、それぞれの階層のデータについてのＤＭ−ＲＳの配置は、いずれも本発明の以下の基本思想を満たすことが見て取れる。ＤＭ−ＲＳ信号は直交ＤＭ−ＲＳ信号と重畳ＤＭ−ＲＳ信号とに分けられ、周波数オフセットおよびパンクチャリングによって直交ＤＭ−ＲＳが各セル間で直交性を保つようにされる。また、直交ＤＭ−ＲＳおよび重畳ＤＭ−ＲＳはいずれもできる限りリソースブロックのエッジに配置され、直交するＤＭ−ＲＳはできる限りリソースブロックの四隅に位置される。
【００３０】
図９および図１０に示す実施例においては、３つのセルのうちのそれぞれのセルのリソースブロックをいずれも２階層のデータの伝送に用いているが、これは必須ではない。３つのセルがそれぞれ必要に応じてリソースブロック中で１階層のデータまたは２階層のデータを伝送することが可能であることは、容易に想到される。具体的には、例えば、３つのセルのうちの１つまたは２つのセルのリソースブロックは、２階層のデータの伝送に用いられるとともに、図９または図１０に示す方式に従ってＤＭ−ＲＳが配置され、同時に、３つのセルのうちの他の２つまたは１つのセルのリソースブロックは、１階層のデータの伝送に用いられるとともに、図７の方式に従ってＤＭ−ＲＳが配置される。
【００３１】
（実施例４）
以上３つの実施例においては、１つのリソースブロック上に２階層のデータを含む状況、および１つのリソースブロック上に１階層のデータを含む状況に対するＤＭ−ＲＳの配置方法において、それぞれの階層のデータについていずれも４つの直交ＤＭ−ＲＳが配置されており、かつ、これら直交ＤＭ−ＲＳはいずれもリソースブロックのデータ領域の四隅上に位置している。しかしながら、実際には、この方法は時として実現困難である。例えば、リソースブロックが複数階層のデータを含んでいる場合には、１つのデータブロック中に合計１２個のＤＭ−ＲＳが配置されるため、それぞれの階層のデータに用いる直交ＤＭ−ＲＳの数が４つに満たない可能性がある。このため、ＤＭ−ＲＳをリソースブロックのデータ領域の四隅上に配置することもできない。または、例えば実施例１においては、すべてのＤＭ−ＲＳがエッジＯＦＤＭシンボル上に配置されるため、１つのリソースブロック上に２階層のデータを含んでいる状況においても、それぞれの階層のデータについて、直交ＤＭ−ＲＳをすべてリソースブロックのデータ領域の四隅上に配置することは困難である。この問題について、本発明の実施例４を提起する。
【００３２】
図１１は、本発明の実施例４のＤＭ−ＲＳ配置方法により３つの隣接セルのリソースブロック中にＤＭ−ＲＳを配置する状況を示す。実施例４は、実際には図１に示す実施例１を２階層のデータを含む状況に拡大したものである。図１１と図１とを比較すると、以下のことが見て取れる。２階層のデータを含む状況（図１１）と１階層のデータを含む状況（図１）とでＤＭ−ＲＳ配置方式は基本的に同様である。２階層のデータを含む状況（図１１）と１階層のデータを含む状況（図１）との相違点は、図１１に示す実施例においては、それぞれの階層のデータについて２つの直交ＤＭ−ＲＳが配置されており、かつ、この２つの直交ＤＭ−ＲＳはリソースブロックのデータ領域の四隅上に位置するのではなく、リソースブロックのデータ領域の２つの対角位置上に位置していることである。例えば、図１１に示すように、各セルのデータブロックにおいて、円で囲んだ２つの直交ＤＭ−ＲＳは第１の階層に用いられ、楕円で囲んだ２つの直交ＤＭ−ＲＳは第２の階層に用いられる。
【００３３】
図１２は、本発明の実施例４によるＤＭ−ＲＳ配置方法のフロー図である。ステップＳ１２１では、それぞれのセルのリソースブロックについて、そのデータ領域の一方のエッジＯＦＤＭシンボル（以下、エッジＯＦＤＭシンボル１と略称する）中の高域端に第１の階層のデータに用いる第１の直交ＤＭ−ＲＳが配置され、他方のエッジＯＦＤＭシンボル（以下、エッジＯＦＤＭシンボル２と略称する）の低域端に第１の階層のデータに用いる第２の直交ＤＭ−ＲＳが配置される。また、ここで第１および第２の直交ＤＭ−ＲＳのエッジＯＦＤＭシンボル１および２における位置では、各セル間で周波数オフセットが存在している。ステップＳ１２２では、それぞれのセルのリソースブロックのエッジＯＦＤＭシンボル１および２中で他のセルの第１および第２の直交ＤＭ−ＲＳに対応する位置においてパンクチャリングが行われる。ステップＳ１２３では、それぞれのセルのリソースブロックについて、エッジＯＦＤＭシンボル１中の低域端に第２の階層のデータに用いる第３の直交ＤＭ−ＲＳが配置され、エッジＯＦＤＭシンボル２の高域端に当該第２の階層のデータに用いる第４の直交ＤＭ−ＲＳが配置される。ここで第３および第４の直交ＤＭ−ＲＳのエッジＯＦＤＭシンボル１および２における位置では、各セル間で周波数オフセットが存在している。ステップＳ１２４では、それぞれのセルのリソースブロックのエッジＯＦＤＭシンボル１および２中で他のセルの第３および第４の直交ＤＭ−ＲＳに対応する位置においてパンクチャリングが行われる。ステップＳ１２５では、任意の１つのセルのリソースブロックにおけるエッジＯＦＤＭシンボル１および２中に、第１の階層のデータおよび第２の階層のデータにそれぞれ用いる重畳ＤＭ−ＲＳが配置されるとともに、他のセルのリソースブロックにおける対応位置に重畳ＤＭ−ＲＳが配置される。
【００３４】
本実施例によるＤＭ−ＲＳ配置方法の本質は、実際の応用において、それぞれの階層のデータについて、すべてをリソースブロックのデータ領域の四隅上にセル間で直交する直交ＤＭ−ＲＳを配置することを保証することが困難であれば、それぞれの階層のデータについてリソースブロックのデータ領域の対角上にセル間で直交する直交ＤＭ−ＲＳを配置することで、本発明が解決しようとする技術的課題の解決が可能であるという点にある。
【００３５】
図１２に示す実施例においては、３つのセルのうちのそれぞれのセルのリソースブロックをいずれも２階層のデータの伝送に用いているが、これは必須ではない。３つのセルがそれぞれ必要に応じてリソースブロック中で１階層のデータまたは２階層のデータを伝送することが可能であることは、容易に想到される。具体的には、例えば、３つのセルのうちの１つまたは２つのセルのリソースブロックでは、２階層のデータの伝送に用いられるとともに、図１２に示す方式に従ってＤＭ−ＲＳが配置され、同時に、３つのセルのうちの他の２つまたは１つのセルのリソースブロックでは、１階層のデータを伝送に用いられるとともに、図５の方式に従ってＤＭ−ＲＳが配置される。
【００３６】
（実施例５）
本発明の実施例１〜４においては、それぞれのリソースブロック中の重畳ＤＭ−ＲＳの数量はいずれも固定である。実際の使用においては、重畳ＤＭ−ＲＳの数量がチャネルおよびシステム負荷の変化にともなって可変であれば、システムのスケジューリングのために多大な柔軟性をもたらすことができる。この考えに基づいて、本発明の実施例５を提起する。
【００３７】
実施例５によるＤＭ−ＲＳ配置方法は実施例１によるＤＭ−ＲＳ配置方法と基本的に同様である。いずれの実施例でもＤＭ−ＲＳ信号が直交ＤＭ−ＲＳ信号と重畳ＤＭ−ＲＳ信号とに分けられ、周波数オフセットおよび対応位置のパンクチャリングによって直交ＤＭ−ＲＳが各セル間で直交性が保たれるようにする。また、リソースブロックのエッジＯＦＤＭシンボル中に直交ＤＭ−ＲＳおよび重畳ＤＭ−ＲＳが配置される。ここで重畳ＤＭ−ＲＳ信号は、各セルのリソースブロックにおいて同一の位置に位置し、かつ、エッジＯＦＤＭシンボルにおいて、重畳ＤＭ−ＲＳの位置は直交ＤＭ−ＲＳの位置の中間に挟まれている。実施例５と実施例１との相違点は、実施例１ではすべてのＤＭ−ＲＳがエッジＯＦＤＭシンボル中に配置されているのに対し、実施例５では２つのＤＭ−ＲＳをエッジＯＦＤＭシンボルから使用可能なサブエッジＯＦＤＭシンボル中に移し、これによりＤＭ−ＲＳ配置の柔軟性を増加させていることにある。図１３（ａ）〜図１３（ｅ）は、それぞれのリソースブロック中の重畳ＤＭ−ＲＳが４個、５個、６個、７個、８個である際に、本発明の実施例５のＤＭ−ＲＳ配置方法により３つの隣接セルのリソースブロック中にＤＭ−ＲＳを配置する状況をそれぞれ示している。
【００３８】
実際には、実施例５は実施例１を拡張したものである。例えば、実施例１においては、それぞれのエッジＯＦＤＭシンボル中に２つの直交ＤＭ−ＲＳおよび４つの重畳ＤＭ−ＲＳが配置されている。しかし、これは一種の好ましい例示的な実現方法に過ぎず、実際にはそれぞれのエッジＯＦＤＭシンボル中に２つ以上の直交ＤＭ−ＲＳを配置するとともに、重畳ＤＭ−ＲＳの数量および配置位置を相応に調整することが可能である（図１３（ａ）に示す）。同様に、エッジＯＦＤＭシンボル中の重畳ＤＭ−ＲＳの数量を減らすとともに、使用可能なサブエッジＯＦＤＭシンボル中に重畳ＤＭ−ＲＳを配置することが可能である（図１３（ｃ）に示す）。
【００３９】
図１３（ａ）〜図１３（ｅ）を対比すると、重畳ＤＭ−ＲＳの数量は異なるものの、統一された方法を用いてリソースブロック上にＤＭ−ＲＳが配置されていることが見て取れる。これは、チャネル推定器の設計の簡略化に非常に有利である。同時に、図１３（ａ）〜図１３（ｅ）からは、直交ＤＭ−ＲＳがリソースブロックの四隅に位置し、リソースブロックの中部のＤＭ−ＲＳを調整することにより、異なる数量の重畳ＤＭ−ＲＳを実現していることが見て取れる。
【００４０】
以上、複数の実施例によって、本発明の復調参照信号の配置方式について説明した。しかし、上述した実施例においては３つの隣接セルが存在する状況について本発明によるＤＭ−ＲＳ配置方法を説明したものの、これは一種の例示的な説明に過ぎず、本発明によるＤＭ−ＲＳ配置方法は３つの隣接セルより多い複数セルの状況に応用可能であることは容易に想到される。
【００４１】
以下では、無線通信システムにおいて復調参照信号を配置する装置について説明する。
【００４２】
図１４は、本発明の実施例１の復調参照信号配置方法を無線通信システム中に応用した復調参照信号を配置する装置の構成ブロック図である。ここで、当該無線通信システムにおける複数のセルは、時間周波数リソースが互いに同一であるリソースブロックを用いて、異なるデータを受信端末にそれぞれ伝送する。図１４に示すように、当該装置は、それぞれのセルのリソースブロックについて、そのデータ領域の２つのエッジＯＦＤＭシンボルにおいて少なくとも２つの直交ＤＭ−ＲＳをそれぞれ配置する。ここで、前記直交ＤＭ−ＲＳの前記エッジＯＦＤＭシンボルにおける位置では、各セル間で周波数オフセットが存在している。当該装置は、エッジＯＦＤＭシンボル中で他のセルの直交ＤＭ−ＲＳに対応する位置においてパンクチャリングを行う直交ＤＭ−ＲＳ配置部１４１と、直交ＤＭ−ＲＳが配置されているいずれかのセルのリソースブロックにおける２つのエッジＯＦＤＭシンボル中に重畳ＤＭ−ＲＳを配置するとともに、他のセルのリソースブロックにおける対応位置に重畳ＤＭ−ＲＳを配置する重畳ＤＭ−ＲＳ配置部１４２とを含む。ここで、それぞれのエッジＯＦＤＭシンボルにおいて、上記重畳ＤＭ−ＲＳを配置する位置は前記直交ＤＭ−ＲＳを配置する位置の間に位置している。
【００４３】
図１５は、本発明の実施例４の復調参照信号配置方法を無線通信システム中に応用した復調参照信号を配置する装置の構成ブロック図である。ここで、当該無線通信システムにおける複数のセルは、時間周波数リソースが互いに同一であるリソースブロックを用いて、異なるデータを受信端末にそれぞれ伝送する。また、それぞれのデータブロックではいずれも２階層のデータが伝送される。図１５に示すように、当該装置は、それぞれのセルのリソースブロックについて、そのデータ領域の１つのエッジＯＦＤＭシンボル（以下、エッジＯＦＤＭシンボル１と略称する）中の高域端に第１の階層のデータに用いる第１の直交ＤＭ−ＲＳを配置し、もう１つのエッジＯＦＤＭシンボル（以下、エッジＯＦＤＭシンボル２と略称する）の低域端に当該第１の階層のデータに用いる第２の直交ＤＭ−ＲＳを配置する。ここで、上記第１および第２の直交ＤＭ−ＲＳのエッジＯＦＤＭシンボルにおける位置では各セル間で周波数オフセットが存在している。当該装置は、エッジＯＦＤＭシンボル１および２中で他のセルの第１および第２の直交ＤＭ−ＲＳに対応する位置においてパンクチャリングを行う第１の直交ＤＭ−ＲＳ配置部１５１と、第１および第２の直交ＤＭ−ＲＳが配置されているそれぞれのセルのリソースブロックについて、エッジＯＦＤＭシンボル１の低域端に第２の階層のデータに用いる第３の直交ＤＭ−ＲＳを配置し、エッジＯＦＤＭシンボル２の高域端に当該第２の階層のデータに用いる第４の直交ＤＭ−ＲＳを配置し、エッジＯＦＤＭシンボル１および２中で他のセルの第３および第４の直交ＤＭ−ＲＳに対応する位置においてパンクチャリングを行う第２の直交ＤＭ−ＲＳ配置部１５２と、直交ＤＭ−ＲＳが配置されているいずれかのセルのリソースブロックにおけるエッジＯＦＤＭシンボル１および２中に、第１の階層のデータおよび第２の階層のデータにそれぞれ用いる重畳ＤＭ−ＲＳを配置するとともに、他のセルのリソースブロックにおける対応位置に重畳ＤＭ−ＲＳを配置する重畳ＤＭ−ＲＳ配置部１５３とを含む。ここで、上記第３および第４の直交ＤＭ−ＲＳの前記エッジＯＦＤＭシンボルにおける位置では各セル間で周波数オフセットが存在している。
【００４４】
本発明の実施例による上記の復調参照信号配置装置の具体的な構成は、本発明の範囲を制限するものではなく、例示的な説明に過ぎず、いくつかの手段が省略されたり、いくつかの手段の機能が一つの手段に合併されて実行されたり、いくつかの手段の機能がより小さい複数の手段に分割されて実行されたりすることが可能である。
【００４５】
当業者は、以下のことを理解することができる。本公開は従来の３ＧＰＰ  ＬＴＥ−Ａの枠組みに限られず、各種の異なる背景の下に応用することが可能であり、例えば伝送階層数が２より大きい際、またはそれぞれのリソースブロック上の参照信号の数が１２に等しくない際に、いずれも本公開の技術的解決手段を応用することが可能である。または、直交するＤＭ−ＲＳはできる限りリソースブロックのデータ領域の四隅に位置するが、重畳するＤＭ−ＲＳは時間および周波数上で直交するＤＭ−ＲＳの中間の位置にいずれも位置しているか、またはデータ領域の中間の位置に位置してさえいれば良く、エッジまたはサブエッジのＯＦＤＭシンボル上に必ず位置しなければならないと厳格には限定しない。または、四隅上のＤＭ−ＲＳはセル間で周波数上で離間しているが、隣接セルには相応のパンクチャリングは行わず、四隅上のＤＭ−ＲＳの送信電力を向上させる方法（power boosting）を用いて、四隅上のＤＭ−ＲＳの推定精度を向上させる。
【００４６】
本願における上記の各実施例は実例としての記述に過ぎず、各実施例の具体的な構成および動作は、本発明の範囲を制限するものではなく、当業者は上記の各実施例における異なる部分や動作を組み合わせ直して、新たな実施の方式を生み出すことが可能であり、同様に本発明の思想に適合している。
【００４７】
本発明の実施例は、ハードウェア、ソフトウェア、ファームウェアおよびそれらの組み合わせの方式で実現されうるが、実現方式は本発明の範囲を制限するものではない。
【００４８】
本発明の実施例における各機能素子（手段）相互の間の接続関係は、本発明の範囲を制限するものではなく、このうち一つまたは複数の素子は、他の任意の機能素子を含んだり、他の任意の機能素子に接続したりしてもよい。
【００４９】
上記では図面を組み合わせて本発明のいくつかの実施例を示し、説明したが、本発明の原則および精神を逸脱することなしに、これらの実施例について変更および修正を行うことが可能であって、依然として本発明の請求の範囲およびその等価物の範囲内におさまることは、当業者にとって自明である。
【図１】
0005497166.tif 000002
【図２】
0005497166.tif 000003
【図３】
0005497166.tif 000004
【図４】
0005497166.tif 000005
【図５】
0005497166.tif 000006
【図６】
0005497166.tif 000007
【図７】
0005497166.tif 000008
【図８】
0005497166.tif 000009
【図９】
0005497166.tif 000010
【図１０】
0005497166.tif 000011
【図１１】
0005497166.tif 000012
【図１２】
0005497166.tif 000013
【図１３】
0005497166.tif 000014
【図１４】
0005497166.tif 000015
【図１５】
0005497166.tif 000016